(57)【要約】【課題】生け花の花型を変えず、生け花を移動させたりすることなく、簡便に水の交換ができることはもちろん、花器内の古い水を完全に排水することができ且つ花器の見栄えを損なうことなく花器の外側で水交換を容易に行うことができる花器を提供することを目的とする。【解決手段】排水可能な水抜手段２を備えた花器本体１と、花器本体１を支持するために花器本体１の底部分に備えられた脚部３と、からなる花器において、該水抜手段２が花器本体１の底位置に備えてあり、さらに該水抜手段２は、花器本体１の底位置に設けた水抜孔４と、脚部３に設け且つ該水抜孔４とほぼ同径の貫通孔５と、前記水抜孔４及び貫通孔５よりも１５％〜３０％大きな外径を有し且つ柔軟性と弾力性を保有するホース６と、から構成され、該ホース６の一端は水抜孔４内に、他端は貫通孔５内に弾力を利用して圧入し、他端はさらに貫通孔５を通り抜けて脚部３の外側に飛び出していることを特徴とする。【選択図】　　　図１
2004041480.tif 000002
【特許請求の範囲】
【請求項１】
排水可能な水抜手段（２）を備えた花器本体（１）と、花器本体（１）を支持するために花器本体（１）の底部分に備えられた脚部（３）と、からなる花器において、該水抜手段（２）が花器本体（１）の底位置に備えてあることを特徴とする花器。
【請求項２】
前記水抜手段（２）は、花器本体（１）の底位置に設けた水抜孔（４）と、脚部（３）に設け且つ該水抜孔（４）とほぼ同径の貫通孔（５）と、前記水抜孔（４）及び貫通孔（５）よりも１５％〜３０％大きな外径を有し且つ柔軟性と弾力性を保有するホース（６）と、からなり、該ホース（６）の一端は水抜孔（４）内に、他端は貫通孔（５）内に弾力を利用して圧入し、他端はさらに貫通孔（５）を通り抜けて脚部（３）の外側に飛び出していることを特徴とする請求項１記載の花器。
【請求項３】
前記水抜手段（２）は、花器本体（１）の底位置に設けた水抜孔（４）と、該水抜孔（４）内に固着し且つ下端部分が底から突出する筒状取付部材（８）と、脚部（３）に設けた貫通孔（５）と、前記貫通孔（５）よりも１５％〜３０％大きな外径を有し且つ柔軟性と弾力性を保有するホース（６）と、からなり、該ホース（６）の一端には筒状取付部材（８）の突出する下端部分を弾力を利用して嵌め込み、他端は貫通孔（５）内に弾力を利用して圧入し、さらに貫通孔（５）を通り抜けて脚部（３）の外側に飛び出していることを特徴とする請求項１記載の花器。
【請求項４】
前記ホース（６）の他端部分には、花器本体（１）内の水の排水及び止水をするためのクリップ（７）を着脱自在に備えていることを特徴とする請求項２又は３記載の花器。
【発明の詳細な説明】
【０００１】
【発明の属する技術分野】
本発明は、花瓶や水盤など、花を生けるのに用いる花器に関するものである。
【０００２】
【従来の技術】
花器に生けた生け花が、長期間にわたってみずみずしい生気を保ち続けるためには、花器内の水を少なくとも毎日欠かさず取り換える必要がある。しかしながら、これまでの水交換作業においては、見る角度を計算し、全体の形を十分に考慮して作られた生け花の見栄え等を損なわないように、花器及び生け花を動かすことなく水交換を行うことは非常に困難且つ面倒であり、また、花器を動かして水交換を行ったとしても、花器が重い等の問題があり非常に不便であった。
【０００３】
そこで、このような問題を解決するために、本出願人は、生け花の花型を変えず、生け花を移動させたりすることなく、簡便に水の交換ができる花器の発明を提案してきた（特開２００２−１５３３６６号、特願２００１−１９６３１９、特願２００２−９１２６０）。
【０００４】
【発明が解決しようとする課題】
上記花器は、大変便利なものであったが、水交換を行う際に、花器内の古い水が手にかかってしまったり、花器内の古い水を完全に排水できなかったり、また、体裁を豪華にし且つ花器内で水交換を行えるように花器本体の下部に飾り台を設けたものについては、花器本体が大きくなれば飾り台も大きいものにしなければならず、見栄えは豪華になり非常に良いが場所を取ってしまい、反対に花器を小さくすれば花器内で水交換を行うことが窮屈となってしまうことがあった。
【０００５】
そこで、本出願人は更に試行錯誤を繰り返し、花器内の古い水を完全に排水することができ且つ花器の見栄えを損なうことなく花器の外側で水交換を容易に行うことができる花器を提供することを目的とする。
【０００６】
【課題を解決するための手段】
上記目的を達成するために、本発明のうち請求項１記載の発明は、排水可能な水抜手段を備えた花器本体と、花器本体を支持するために花器本体の底部分に備えられた脚部と、からなる花器において、該水抜手段が花器本体の底位置に備えてあることを特徴とする。
【０００７】
このように構成すると、水抜手段によって、生け花及び花器を移動させることなく容易に水交換を行うことができることはもちろん、水抜手段の備える位置を花器本体の底位置にすることで、水交換をより効率的に行うことができ、花器内の古い水を全て排水することが可能となり、花器内の水を完全に新しい水に交換することができる。
【０００８】
水抜手段に関しては、請求項２記載の発明のように、水抜手段を花器本体の底位置に設けた水抜孔と、脚部に設け且つ該水抜孔とほぼ同径の貫通孔と、前記水抜孔及び貫通孔よりも１５％〜３０％大きな外径を有し且つ柔軟性と弾力性を保有するホースと、から構成し、該ホースの一端は水抜孔内に、他端は貫通孔内に弾力を利用して圧入し、他端はさらに貫通孔を通り抜けて脚部の外側に飛び出るようにすれば、水抜孔内と貫通孔内にホースを圧入することで、ホースが２箇所で確実且つ強固に固定され、止具や接着剤を必要とせず特に水抜孔内に圧入したホースのズレや水漏れを確実に防ぐことができ、さらに、ホースの他端は脚部の外側に飛び出しているため、花器本体の外側で水抜作業を行うことが可能となり、より容易に水交換を行うことができる。ホースの素材としては、例えばフッ素ゴムやシリコーンゴム等が挙げられる。圧入するホースの外径を各孔の径に対して１５％〜３０％、好ましくは２０％〜２５％大きくしてあるのは、各孔に圧入されたホースがより確実且つ強固に固定され、引き抜きが困難であるからである。ホースが外側に飛び出る部分は、花器を飾った際の体裁を良くするために壁側もしくは背面側に向けることが望ましい。水抜孔内に圧入するホースの一端は、古い水の全ての排水が可能なように、花器の底面と面一になっていることが望ましい。
【０００９】
また、請求項３記載の発明のように、水抜手段を花器本体底位置に設けた水抜孔と、該水抜孔内に固着し且つ下端部分が底から突出する筒状取付部材と、脚部に設けた貫通孔と、前記貫通孔よりも１５％〜３０％（好ましくは２０％〜２５％）大きな外径を有し且つ柔軟性と弾力性を保有するホースと、から構成し、該ホースの一端は筒状取付部材の突出する下端部分に弾力を利用して嵌め込み、他端は貫通孔内に弾力を利用して圧入し、貫通孔を通り抜けて脚部の外側に飛び出るようにすることもできる。水抜孔内に固着する筒状取付部材の外径は、固着した筒状取付部材の突出する下端部分をホースの一端に嵌め込むことを考慮し、筒状取付部材に嵌め込んだホースが容易に引き抜けないような外径にする。また、筒状取付部材に関しては、特に限定はしないが、ホースの引き抜きが困難となるように、ホースに嵌り込む部分をタケノコネジ状に形成することが望ましい。さらに、水抜孔内に固着する筒状取付部材の上端は、花器内の古い水の全ての排水が可能なように、花器の底面と面一になっていることが望ましい。
【００１０】
請求項４記載の発明のように、前記ホースの他端部分には、花器本体内の水の排水及び止水をするためのクリップを備えることによって、クリップを留め外しするのみによって容易に花器内の水を交換することができる。
【００１１】
【発明の実施の形態】
以下、本発明の実施形態を図面に基づいて説明する。
【００１２】
図１は第１実施形態を示すもので、花器本体１は上方に向かって大きく末広がり状に上端が開口している水盤型をしており、その底部分には水抜手段２と、糸底状をなす脚部３と、を備えている。花器本体１の底部の中心部分には、花器本体１内の水を完全に排水できるように段差状に低くしてある。また、段差状に低くした中心部分には水抜孔４を形成し、脚部３には水抜孔４とほぼ同径の貫通孔５を形成し、各孔よりも２０％〜２５％大きな外径を有したフッ素ゴム製のホース６の一端を水抜孔４内に、他端を貫通孔５内にそれぞれ圧入して強固に各孔の周壁に固定されている。ホース６の他端はさらに貫通孔５を通り抜け、脚部３の外側へと延びており、花器本体１に水を収容している時には、ホース６の他端部分を折り曲げてクリップ７で止めて止水し、排水時にはクリップ７を取り外し、バケツ等の受水容器に排水する。尚、完全に排水するために水抜孔４に圧入してあるホース６の上端は段差状に低くしてある底面と面一になっている。
【００１３】
図２は第２実施形態を示すもので、前記第１実施形態と相違するところは、水抜孔４内壁にタケノコネジ付きのプラスチック製の筒状取付部材８が固着されており、花器本体１の底部から突出する筒状取付部材８における下端部分の外周にホース６の一端内に嵌め込み強固にホース６と固定されている点である。完全に排水できるように、水抜孔４内に固着してある筒状取付部材８の上端は花器本体１の底面と面一になっている。
【００１４】
図３は第３実施形態を示すもので、前記第２実施形態と相違するところは、花器本体１の形状を水盤型のものから円筒状の花瓶型のものに換えると共に、花器本体９が球状の形態をした花瓶１０内に、円筒状の花瓶型花器１１を花瓶１０の口部から立てた状態で収容し、花器の体裁をより一層豪華なものにしている点である。また、花瓶１０の側周壁には貫通孔５と平行位置に通し孔１２を形成し、該通し孔１２からホース６の他端を飛び出させることで、花瓶１０の外側で水抜作業を行うことができるようにしている。通し孔１２にはホース６を圧入しなくてもよいので、通し孔１２の内径をホース６よりも小さくする必要はない。
【００１５】
図４は第４実施形態を示すもので、第１実施形態と相違するところは、花器本体１を球状の形態をした花瓶に換え、脚部３を下方に向かって長く末広がり状に形成した点である。また、花器本体１内には、生け花が広がらずまとまった形に生けるための筒状の周面に透水孔１３が形成されている補助具１４を、花器本体１の口部から立てた状態で内部に収容されている。
【００１６】
図５（イ）（ロ）（ハ）は第５実施形態と、その使用例の一部を示すもので、第１、第４実施形態と相違するところは、貫通孔５が脚部３の最下端に形成されている点である。このようにすることで、脚部３の高さを低く形成することが可能となる。図５（イ）は花器本体１を水盤として使用したもので、花器本体１の底に形成された水抜孔４を塞がずに剣山１５を置くために、透水孔１３付きの剣山受台１６を底面に載置してある。図５（ロ）は花器本体１を花瓶として使用したもので、口部が大きく開口しているため、生け花が広がらずまとまった形に生けることが可能なように、筒状の周面に透水孔１３が形成されている補助具１４を花器本体１内部に収容されている。この際、補助具１４の上周縁に外向き係止部１７を形成し、花器本体１の口部周縁に係止する位置まで延在させておけば、底面での起立状態と相まって補助具１４が不動状態となる。図５（ハ）は花器の背面図を示すもので、貫通孔５が脚部３の最下端に形成され、孔の下端が切断されているため、貫通孔５にホース６を圧入する際、ホース６を下方から貫通孔５に押し込むことによって比較的容易に圧入することができる。
【００１７】
図６（イ）（ロ）は第６実施形態を示すもので、第１、第４実施形態と相違するところは、上下にひっくり返すことによって二様の使い方ができるように、花器本体１の側壁にも水抜孔４とほぼ同径の貫通孔１８を形成し、水漏れを防ぐための止水栓１９が嵌め込まれている点である。すなわち、花器本体１にこのような形成を施すことによって、花器を上下にひっくり返すことで、花器本体１が下向きに開口し、貫通孔１８に嵌め込まれた止水栓１９を外し、貫通孔１８内にホース６を圧入することで水抜手段２を備えることが可能となり、花器本体１を脚部として使用することができると共に、上向きに開口した脚部３の貫通孔５に止水栓１９を嵌め込むことによって、水漏れを防ぐことが可能となり、脚部３を水盤や花瓶等の花器として使用することができ、花器本体１と脚部３の両面を花器及び脚部として使用することができる。図６（イ）は花器本体１と脚部３を同一円筒状に形成し、花器本体１を円筒状の花瓶として使用したもので、側壁には貫通孔１８が形成され、漏水不能なように止水栓１９が嵌め込まれている。また、生け花が広がらずまとまった形に生けることが可能なように、花器本体１の口部を内側に狭くするためのリング部材２０が花器本体１の口部周縁に載置してある。図６（ロ）は花器本体１と脚部３を同一円筒状に形成した花器を上下にひっくり返し、脚部３を円筒状の水盤として、花器本体１を脚部として使用したもので、水盤として使用した脚部３の貫通孔５内には漏水不能なように止水栓１９を嵌め込み、底部には剣山１５が載置してある。また、脚部として使用した花器本体１の貫通孔１８内にはホース６の他端を圧入し、さらに貫通孔１８を通り抜け花器本体１の外側に飛び出し、花器本体１の外側で排水可能にしてある。
【００１８】
【発明の効果】
本発明のうち請求項１記載の発明によれば、花器本体の底部分に排水可能な水抜手段を備えることによって、生け花及び花器を全く動かすことなく、花器本体内の水交換を行うことができることはもちろんのこと、さらに、花器内の古い水を完全に排水することが可能であり、花器内の水を常に清潔な状態に保ち、生け花のみずみずしい状態を長期間にわたって保つことができる。
【００１９】
水抜手段を請求項２記載の発明のように、花器本体の底部に形成した水抜孔と、脚部に形成した水抜孔とほぼ同径の貫通孔と、各孔よりも１５％〜３０％大きな外径を有し且つ柔軟性及び弾力性を保有するホースと、から構成し、ホースの一端を水抜孔内に、他端を貫通孔内に圧入し、他端をさらに貫通孔を通り抜け外側に飛び出すことによって、ホースを２箇所で強固に固定することが可能となり、ホースのズレや引き抜きを困難にし、水漏れを確実に防ぐことが可能となり、さらに、花器の外側で水交換を行うため、広いスペースで容易に水交換を行うことができ、作業性のより一層の向上を図ることができる。また、請求項３記載の発明のように、ホースを水抜孔内に圧入させるのではなく、水抜孔内に下端部分が底から突出する筒状取付部材を固着し、筒状取付部材の突出する下端部分をホース内に嵌め込み、ホースを２箇所で強固に固定する方法でも、請求項２記載の発明の効果と同等の効果を得ることができる。
【００２０】
請求項４記載の発明のように、ホースの他端部分に、花器本体内の水の排水及び止水をするためのクリップを着脱自在に備えることによって、クリップを外す、留めるの操作のみで花器内の水の排水及び止水を行うことが可能となり、より一層容易に花器内の水交換作業を行うことができる。
【図面の簡単な説明】
【図１】本発明の第１実施形態を示す端面図である。
【図２】本発明の第２実施形態を示す端面図である。
【図３】本発明の第３実施形態を示す端面図である。
【図４】本発明の第４実施形態を示す端面図である。
【図５】（イ）（ロ）（ハ）本発明の第５実施形態を示す端面図及び背面図である。
【図６】（イ）（ロ）本発明の第６実施形態を示す端面図である。
【符号の説明】
１　花器本体
２　水抜手段
３　脚部
４　水抜孔
５　貫通孔
６　ホース
７　クリップ
８　筒状取付部材
【図１】
2004041480.tif 000003
【図２】
2004041480.tif 000004
【図３】
2004041480.tif 000005
【図４】
2004041480.tif 000006
【図５】
2004041480.tif 000007
【図６】
2004041480.tif 000008